(57)【要約】  本発明は、ボールねじ用のスピンドルナットであって、ボール（２）用の無端のボール軌道（１）と、スピンドルナットの内周部に該スピンドルナットの回転軸線を中心にして螺旋に沿って配置された、ボール（２）用のボール溝（３，１４）とが設けられていて、該ボール溝（３，１４）が少なくとも１つの螺条（４）にわたって延びており、さらに変向装置（５）が設けられていて、該変向装置（５）の変向通路（９）においてボール（２）が１つの螺条（４）の終端部から１つの螺条（４）の始端部に変向されるようになっており、スピンドルナットが、一方ではボール溝（３，１４）に接続しかつ他方では変向通路（９）に接続するボール走入路（１３，１６）を備えている形式のものに関する。このような形式のスピンドルナットにおいて本発明の構成では、ボール溝（３，１４）とボール走入路（１３，１６）との両方が、同じ横断面形状を有している。
2008500500.tif 000002
【特許請求の範囲】
【請求項１】
ボールねじ用のスピンドルナットであって、ボール（２）用の無端のボール軌道（１）と、スピンドルナットの内周部に該スピンドルナットの回転軸線を中心にして螺旋に沿って配置された、ボール（２）用のボール溝（３，１４）とが設けられていて、該ボール溝（３，１４）が少なくとも１つの螺条（４）にわたって延びており、さらに変向装置（５）が設けられていて、該変向装置（５）の変向通路（９）においてボール（２）が１つの螺条（４）の終端部から１つの螺条（４）の始端部に変向されるようになっており、スピンドルナットが、一方ではボール溝（３，１４）に接続しかつ他方では変向通路（９）に接続するボール走入路（１３，１６）を備えている形式のものにおいて、ボール溝（３，１４）とボール走入路（１３，１６）との両方が、同じ横断面形状を有していることを特徴とする、ボールねじ用のスピンドルナット。
【請求項２】
スピンドルナットが、周囲に配置された少なくとも１つの箇所に開口（７，１５）を備えていて、該開口（７，１５）に変向装置（５）が係合していて、ボール走入路（１３，１６）が開口（７，１５）にまで達している、請求項１記載のスピンドルナット。
【請求項３】
ボール走入路（１３，１６）が縦断面図で見てボール溝（３，１４）を起点として始まりかつ変向通路（９）において終わるように、半径方向外側に向かって有利には連続的に湾曲して上昇している、請求項１記載のスピンドルナット。
【請求項４】
ボール走入路（１３，１６）が、展開されたボール溝（３，１４）の縦断面図で見て、凸面状に成形されている、請求項１記載のスピンドルナット。
【請求項５】
横断面形状がいわゆるゴシック状の形状（１０）として形成されている、請求項１記載のスピンドルナット。
【請求項６】
ボール走入路（１３，１６）がエッジなしに、変向装置（５）の変向通路（９）及びボール溝（３，１４）に接続している、請求項１記載のスピンドルナット。
【請求項７】
スピンドルナットが、全周にわたって分配配置された複数の開口（７）を備えていて、該開口（７）内にそれぞれ、変向通路（９）を備えた各１つの変向部材（６）が配置されており、ボール（２）が、ボール溝（３）の１つの共通の螺条（４）の始端部から終端部に変向されるようになっており、ボール走入路（１３）がスピンドルナットの回転軸線を中心にして測定して、６０°までの角度、有利には２０°までの角度にわたって延在し、該角度αが開口（７）において始まり、かつボール溝（３）において終わっている、請求項２記載のスピンドルナット。
【請求項８】
スピンドルナットが、周囲に配置された２つの開口（１５）を備えていて、両方の開口（１５）の間においてボール溝（１４）が複数の螺条にわたって延在しており、スピンドルナットの外周部に、変向通路を備えた外側変向部が設けられていて、該外側変向部の一方の端部が一方の開口に、かつ外側変向部の他方の端部が他方の開口に係合しており、さらに、ボール走入路（１６）がスピンドルナットの回転軸線を中心にして測定して、３６０°までの角度にわたって延在し、該角度が開口（１５）において始まり、かつボール溝（１４）において終わっている、請求項２記載のスピンドルナット。
【請求項９】
ボールねじ用のスピンドルナットを有利には鋼から製造する方法であって、スピンドルナットの内周部に該スピンドルナットの回転軸線を中心にして螺旋に沿って工具を用いて、ボール（２）のためのボール溝（３，１４）を切削加工し、該ボール溝（３，１４）が少なくとも１つの螺条（４）にわたって延在しており、ボール溝（３，１４）の少なくとも１つの所定の箇所を起点として、工具とスピンドルナットとの間の相対的な回動進行に関連して、半径方向外側に向かって工具の送りを開始し、これによってスピンドルナットからさらなる材料を除去し、他の所定の箇所において工具とスピンドルナットとの間の相対的な回動進行に関連して、工具を再び引き戻して送りを終了させ、ボール溝（１４）のさらなる加工を行い、工具の送り及び／又は送り中断に基づいてボール走入路（１３，１６）を形成し、この際にスピンドルナットの周囲に、前記両方の箇所の間に配置された開口（７，１５）を、該開口（７，１５）のところまでボール走入路（１３，１６）が延在するように設けることを特徴とする、ボールねじ用のスピンドルナットを製造する方法。
【請求項１０】
まず初めに、有利には切離し工程において、開口（７，１５）をスピンドルナットの周囲に形成し、次いで、ボール溝（３，１４）を少なくとも１つのボール走入路（１３，１６）と共に形成する、請求項９記載の方法。
【請求項１１】
まず初めに、ボール溝（３，１４）を少なくとも１つのボール走入路（１３，１６）と共に形成し、次いで有利には切離し工程において、開口（７，１５）をスピンドルナットの周囲に形成する、請求項９記載の方法。
【請求項１２】
工具が、有利にはボール溝（３，１４）に対して横方向に配置された回転軸線をもって回転する切削工具であり、該切削工具の回転する周壁が、切削工具を含む横断面で見て、ボール溝（３，１４）及びボール走入路（１３，１６）の形状を有している、請求項９記載の方法。
【請求項１３】
スピンドルナットを製造する請求項９記載の方法であって、スピンドルナットが、全周にわたって分配配置された複数の開口（７）を備えていて、これらの開口にそれぞれ、ボール（２）をボール溝（３）の１つの共通の螺条（４）の始端部から終端部に変向させるために、変向通路（９）を備えた各１つの変向部材（６）が挿入可能であり、開口（７）が、スピンドルナットの軸線方向で見てボール溝（３）の各１つの肩部（８）を切断しており、周方向において互いに隣接して配置された開口（７）が１つの共通の螺条（４）に進入しており、工具を送りながら、一方の開口（７）におけるボール走入路（３）を形成し、かつ送りを後退させながら、前記一方の開口（７）に隣接して配置された他方の開口（７）におけるボール走入路（３）が製造する、スピンドルナットを製造する請求項９記載の方法。
【請求項１４】
ボール溝（３，１４）がスピンドルナットの両端部においてそれぞれ最後のボール走入路（１３，１６）の後ろにおいて加工されていない、請求項１記載のスピンドルナット。
【発明の詳細な説明】
【技術分野】
【０００１】
本発明は、ボールねじ用のスピンドルナットに関する。有利には本発明は、電気機械式のステアリング補助として自動車のステアリング装置において使用されるボールねじに関する。
【０００２】
例えばＤＥ１９９４４８７５Ａ１に基づいて、ボール用の無端のボール軌道を有するボールねじ用のスピンドルナットが公知である。この公知の構成ではスピンドルナットの、該スピンドルナットの回転軸線を中心にした内周部に、螺旋に沿ってボール用のボール溝が形成されており、このボール溝は複数の螺条にわたって延在している。さらに変向装置が設けられており、この変向装置の変向通路においてボールは、ボール溝の１つの共通の螺条の終端部から、ボール溝のこの共通の螺条の始端部に変向されるようになっている。変向装置はこの公知の構成では複数の変向部材によって形成されており、これらの変向部材はそれぞれ、スピンドルナットの周囲に形成された開口に挿入されている。ボールが衝撃なしにかつ僅かな騒音でスピンドルナットのボール溝から変向部材の変向通路に導入され得るようにするために、スピンドルナットにはボール走入路が形成されており、このボール走入路は一方ではスピンドルナットのボール溝に接続し、かつ他方ではスピンドルナットの開口にまで達している。このボール走入路はしばしば手によって加工されるか又は後加工され、このことは著しい手間を意味する。スピンドルナットに形成されたボール溝はしばしばかつ有利にはいわゆるゴシック状の形状を有しており、つまりボール溝の側面がボール直径よりも大きく、かつボール溝の基点において互いに交差しているが、このような形状はボール走入路の形成時に得ることができない。しばしば円錐形の走入形状がボール走入路において生ぜしめられる。
【０００３】
本発明の課題は、請求項１の上位概念部に記載された形式のスピンドルナットを改良して、ボールが可能な限り衝撃なしにかつ僅かな騒音でスピンドルナットのボール溝から変向装置の変向通路に導入できるようにすることである。
【０００４】
この課題を解決するために本発明の構成では、スピンドルナットに形成されたボール溝とボール走入路との両方が、同じ横断面形状を有しているようにした。
【０００５】
本発明のように構成されていると、ボール走入路もまたゴシック状の横断面形状を有することができる。このゴシック状の横断面形状は、変向装置の変向通路へのボールの申し分ない導入のために役立つ。有利にはボール走入路は縦断面図で見てボール溝のところで始まり、つまりボール溝のところで接続し、そして変向通路のところで終わっており、この場合ボール走入路はこの経路において半径方向外側に向かって有利には連続した湾曲で上昇している。ボール溝が１つの平面において展開されると、このボール走入路は有利には凸面状の形状を有し、有利には横断面図で見ていわゆるゴシック状の形状を備えている。ボール走入路とボール溝との横断面が同じに形成されていると、ボール溝からボール走入路への、かつこのボール走入路から変向装置の変向通路への引っかかりのない移行も可能になる。ゴシック状の形状の代わりに、内部においてボールを案内することのできるよう特性を有する別の形状もまた適しているということができる。
【０００６】
冒頭に述べた従来技術におけるようにシングル変向部が設けられている場合には、ボール走入路がスピンドルナットの回転軸線を中心にして測定して、６０°までの角度、有利には２０°までの角度にわたって延在し、該角度αが開口において始まり、かつボール溝において終わっていると、特に有利である。下限値としては、約４°の角度が有利である。上記のような角度内においてボール走入路は連続的に上昇しており、その結果、ボールがボール走入路を出て、負荷が加えられるスピンドルナットのボール溝に走入する時に、ボールには徐々に増大する負荷しか加えられないことが保証される。同時にまた、ボールがボール溝の負荷された領域からボール走入路を介して変向装置の変向通路内に導入される時には、ボールに対する負荷が徐々に減少することが保証されている。通常の構造寸法を有するスピンドル、スピンドルナット及びボールでは、前記角度範囲はボール直径の半分から２倍に相当する。
【０００７】
いわゆるシングル変向部と択一的に、スピンドルナットが周囲に配置された２つの開口を備えていて、両方の開口の間においてボール溝が複数の螺条にわたって延在しているボールねじも公知である。この構成ではスピンドルナットの外周部に、変向通路を備えた外側変向部が設けられている。この外側変向部は例えば管によって形成されていて、この外側変向部もしくは管の一方の端部は一方の開口に、かつ他方の端部は他方の開口に係合しており、さらに、ボール走入路はスピンドルナットの回転軸線を中心にして測定して、３６０°までの角度にわたって延在し、該角度は開口において始まり、かつボール溝において終わっている。しかしながらまた小さな角度、有利には１８０°の角度も有利である。このような大きな角度によって、ボールに対して単に徐々に加えられる負荷及び最終負荷がさらに顕著になる。回転するスピンドルナットに対して静的な横力が作用するような場合には、大きな走入角度によって得られる利点が特に有利に示される。すなわちボールねじの剛性特性における不連続性は、ボール溝のピッチもしくは勾配に基づいている。ボール走入路は完全に一周する間に一度、横力が作用する平面を通過する。走入角度が大きければ大きいほど、変向通路に対するボールの出入りはよりソフトになる。例えば１つのスピンドルナットが、ボール溝の３つの完全な螺条を備えていて、最初の螺条と最後の螺条とがそれぞれ３６０°にわたってボール走入路を形成していると、１つの螺条は回転中に常に負荷に耐え、これに対して外側に位置している螺条は、回動進行に関連して増大するように又は減少するように負荷されている。そして耐用寿命、運転特性及び静かな走行はポジティブな影響を受ける。
【０００８】
シングル変向部においても上に述べた外側変向部においても角度は、有利には運転負荷を考慮して設定されることができる。運転負荷が加えられると、ボールは弾性変形により圧縮する。ボール走入路の長さは、ボールの最大の圧縮変形の値にほぼ相当することができる。すなわち、まず初めに全負荷下にあるボールはばね弾性的に変形させられ、次いでボール走入路への進入と共に弾性的に弛緩し、ボール走入路の終端部のところで、つまり変向装置の変向通路への入口のところで再びその本来の球形形状に戻る。ボール走入路の長さは従って使用されるボールの変形特性にも対応することができる。このような運転負荷を考慮して、ボール走入路の角度がボールの弾性変形に合わせられると、ボール溝から変向装置の変向通路への極めて静かな進入が保証されるスピンドルナットを、得ることができる。
【０００９】
本発明ではさらに、ボールねじ用のスピンドルナットを製造する方法が提案されている。本発明の方法では、スピンドルナットの内周部に該スピンドルナットの回転軸線を中心にして螺旋に沿って工具を用いて、ボールのためのボール溝を切削加工する。このボール溝は少なくとも１つの螺条にわたって延在している。おり、ボール溝の少なくとも１つの所定の箇所を起点として、工具とスピンドルナットとの間の相対的な回動進行に関連して、工具を半径方向外側に向かって送ることを開始し、これによってスピンドルナットからさらなる材料を除去する。ボール溝の他の所定の箇所において工具とスピンドルナットとの間の相対的なさらなる回動進行に関連して、工具を再び引き戻して送りを終了させ、ボール溝のさらなる加工を行い、工具の送り及び／又は送り中断に基づいてボール走入路を形成し、この際にスピンドルナットの周囲に、前記両方の箇所の間に配置された開口を、該開口のところまでボール走入路が延在するように設ける。この工程は、工具の選択に応じて、最終的にボール溝とボール走入路とがその最終的な輪郭を得るまで、繰り返すことができる。
【００１０】
従って本発明による方法では、ただ１つの工具を用いて、ボール溝とボール走入路の両方を形成することが可能である。ボール走入路を形成するために、１つの工具の外しと新たな工具の当て付けとが省かれることによって、ボール溝からボール走入路への移行をエッジなしにかつソフトに行うことが保証される。さらに手作業もまた不要になる。工具は有利にはゴシック状の形状を備えているので、ボール溝とボール走入路とに同じゴシック状の横断面形状を与えることが保証される。
【００１１】
上に述べた本発明の方法をさらに改良した有利な方法では、まず初めに、有利には切離し工程において、開口をスピンドルナットの周囲に形成し、次いで、ボール溝をボール走入路と共に形成する。このような方法では、工具は半径方向に送られて開口の領域を通過し、その後でスピンドルナットにおける材料をさらに除去する。しかしながらまた択一的な別の有利な方法では、まず初めに、ボール溝を少なくとも１つのボール走入路と共に形成し、次いで有利には切離し工程において、開口をスピンドルナットの周囲に形成する。
【００１２】
工具が、有利にはボール溝に対して横方向に配置された回転軸線をもって回転する切削工具であり、該切削工具の回転する周壁が、切削工具を含む横断面で見て、ボール溝及びボール走入路の対応形状を有していると、有利である。
【００１３】
このような切削工具は、多数のスピンドルナットを製造するために有利に準備されることができる。
【００１４】
その他の切削工具を使用することも可能である。この工具は、所定形状に形成された研磨ディスクのように、形状を決定されている必要はない。ボール溝及びボール走入路の横断面形状を生ぜしめるために、例えば小型の工具をボール溝の長手方向に対して直角に移動させることも可能である。
【００１５】
本発明による方法を、シングル変向部を備えたスピンドルナットにおいて使用する場合には、以下に記載の本発明の変化実施形態が有利である。すなわちこの場合、スピンドルナットが、全周にわたって分配配置された複数の開口を備えていて、これらの開口にそれぞれ、ボールをボール溝の１つの共通の螺条の始端部から終端部に変向させるために、変向通路を備えた各１つの変向部材が挿入可能である。これらの開口は、スピンドルナットの軸線方向で見てボール溝の各１つの肩部を切断しており、周方向において互いに隣接して配置された開口が１つの共通の螺条に進入しており、工具を半径方向に送りながら、一方の開口におけるボール走入路を形成し、かつ送りを後退させながら、前記一方の開口に隣接して配置された他方の開口におけるボール走入路が製造するようになっている。このようにすると、単に送りの後退によって、別のボール走入路を形成することができる。このような作業工程は合理的な製造方法を可能にする。直ぐ上に述べた変化実施形態では、工具は両ボール走入路の間において半径方向に送られたままであり、このことが可能なのは、いわゆるデッド路領域においてボールは一度も達しないからである。デッド路領域における半径方向の送りを行わないようにするための変化実施形態が可能である。この変化実施形態は、付加的な工具運動を必要とするが、しかしながら切削加工の時間及び範囲を減じる。つまりこのデッド路領域は未加工のままでよい。
【００１６】
螺旋に沿って形成されたボール溝は、スピンドルナットの端面に到るまで加工される必要はない。それというのは、ボール溝の最後の螺条の少なくとも一部はデッド路領域を形成しているからである。このようにして、スピンドルナットの加工に関する手間もしくはコストを、さらに減じることができる。
【００１７】
次に図面を参照しながら本発明の２つの実施例を説明する。
【００１８】
図１は、本発明によるスピンドルナットを示す斜視図であり、
図２は、図１に示されたスピンドルナットに形成されたボール溝を示す断面図であり、
図３は、図２に示されたボール溝の展開図であり、
図４は、本発明によるスピンドルナットの一部を示す横断面図であり、
図５は、本発明によるスピンドルナットの一部をボール溝に沿って断面して一平面において展開して示す図であり、
図６は、本発明によるスピンドルナットの別の実施例を示す斜視図であり、
図７は、図６に示されたスピンドルナットの縦断面図であり、
図８は、図６に示されたスピンドルナット横縦断面図であり、
図９は、図６に示されたスピンドルナットのボール溝を展開して示す図である。
【００１９】
図１〜図５に示された第１実施例には、いわゆるシングル変向部（Einzelumlenkung）を備えたスピンドルナットが示されている。このスピンドルナットはボール２のための無端のボール軌道１を有している（図４参照）。図１から分かるように、スピンドルナットの内周部にはスピンドルナットの回転軸線を中心にしてかつ螺旋に沿って、ボール２のためのボール溝３が形成されている。このボール溝３は複数の螺条４にわたって延びている。さらに、ボール２を１つの共通の螺条４の始端部から後端部に変向するために、変向装置５が設けられている。この変向装置５は複数の変向部材６を有しており、これらの変向部材６はそれぞれ、スピンドルナットの周囲に設けられた開口７に挿入されている（図１）。スピンドルナットは複数の開口７を備えている。図１から分かるように、各開口７はボール溝３の肩部８を切り離している。この肩部８は、スピンドルナットを長手方向で切断して見た場合、軸方向において隣接して配置された２つのボール溝区分の間に位置している。
【００２０】
これらの開口７に挿入された変向部材６は、図４に示されている変向通路９を有している。
【００２１】
ボール溝３は、図２に示されているようなゴシック状の横断面形状１０を有している。この図２から分かるように、ゴシック状の形状１０の輪郭は、一点鎖線で示されている円形輪郭とは異なっている。ボール溝３の起点１１において、ボール溝３の両方の側面１２が互いに出会っている。図２からさらに分かるように、起点１１と一点鎖線の円との間には間隔が存在するのに対して、側面１２の領域においては円は両側面１２に接している。
【００２２】
ボール軌道１におけるボール２の無端の循環路において、ボール２はボール溝３の１つの共通の螺条４の始端部から終端部に変向される。図４には、変向通路９へのボール溝３の移行部が、スピンドルナットを横断面した部分図で示されている。移行領域にはスピンドルナットにボール走入路１３が一体成形されている。このボール走入路１３は同様に横断面で見て、ボール溝３のゴシック状の形状１０に相当するゴシック状の形状を有している。ボール溝３に沿ったボール走入路１３の長さは、スピンドルナット軸線を中心にしてほぼ角度αに相当しており、この角度αの値は例えば６０°までである。このボール走入路１３は一方ではスピンドルナットのボール溝３にエッジなしに接続し、かつ他方では変向部材６の変向通路９にエッジなしに接続している。図４からさらに分かるように、ボール走入路１３はボール溝３において始まりかつ変向通路９において終わるように、連続した曲率でつまり滑らかに半径方向外側に向かって上昇している。この輪郭は横断面で見て凸面状に成形されている。図４からさらに明らかなように、ボール走入路１３は開口７にまで達している。図５においては、部分的に示されたスピンドルナットの展開図でボール走入路１３の凸面状の形態が明らかに示されている。
【００２３】
このようなスピンドルナットを製造するために、有利には以下に記載の本発明による方法が提供される。まず初めにスピンドルナットの内周部に、スピンドルナットの回転軸線を中心にしてかつ螺旋に沿って、図示されていない工具を用いて切削によりボールのためのボール溝３が加工される。その後で又はこの加工と同時に、スピンドルナットからさらなる材料を除去するために、ボール溝３の所定の箇所を起点として工具とスピンドルナットとの間における相対的な回動進行に関連して、工具は半径方向外側に向かって送りを開始する。このようにしてまず初めに図４に示されたようなボール走入路１３が形成される。そして螺旋に沿って続く所定の箇所で工具の送り動作が終わるように、工具とスピンドルナットとの間における相対的な回動進行に関連して、工具は再び引き戻されて、ボール溝３のさらなる加工を続けることができる。上に述べた２つの箇所の間には開口７が配置されており、この開口７のところまでボール走入路１３が延びている。
【００２４】
開口７は有利には、打抜きのような切離し工程において形成され、その後で上述のようにボール走入路１３を備えたボール溝３が形成される。
【００２５】
このような加工方法の代わりに択一的に、しかしながらまた、まず初めにボール溝３をボール走入路１３と共に上述のように形成し、次いで切離し工程において開口７を形成することも同様に有利に可能である。
【００２６】
開口７の位置を考慮しながら、周方向及び螺旋に沿って相前後して配置された複数のボール走入路を、前記工具を用いて一回の工程で製造することも可能である。第１のボール走入路を形成するために工具は上述のように、工具とスピンドルナットとの間における回動進行と共に半径方向で送り動作を行う。この半径方向に送られる位置において工具は螺旋に沿って、工具が周方向に接続する開口の領域に達するまで、移動させられる。そして工具は、工具とスピンドルナットとの間における相対的な回動進行と共に再び半径方向において引き戻されることができ、これによって工具は、該工具がこの後続の開口の領域から再び出て、スピンドルナットのボール溝のレベルにまで戻される時に、別のボール走入路を形成する。上に述べた両方のボール走入路の間には、このようなボールねじにおいてボールが達することのないいわゆるデッド路が位置している。このようなデッド路が存在していることによって、工具を両ボール走入路の間において半径方向で引き戻すことを不要にすることができる。
【００２７】
ボール走入路の長さ（図４参照）は、螺旋に沿って測定すると、図示の実施例ではほぼボール２の最大の弾性的な圧縮変形（Einfederung）に相当しており、この圧縮変形はボール２に対する負荷の結果である。
【００２８】
ボール走入路１３の上述の製造プロセスは図３に略示されており、この場合図示されていない工具の運動経過は左から右に向かって行われる。図３において用いられた符号はそれぞれ、個々の区分における工具の半径方向のレベルを示しており、この場合個々の区分は次のように分割されている。すなわち７′は開口７の内部における領域を示し、この領域７′にはボール走入路１３を形成するための領域１３′が接続している。最後に工具はボール溝３のレベルに位置し、これは図３において符号３′で示されている。工具は、ほぼ１つの螺条にわたってボール溝３に沿って移動する。そして領域１３′は別のボール走入路１３を形成するために続いている。工具は送られた位置に留まり、いわゆるデッド路領域Ｔを通過し、さらに次の開口７の領域へと移動し、この領域は７′で示されている。この開口を去る際に工具は半径方向の送りから再び引き戻され、その結果次のボール走入路１３が形成され、これは符号１３′で示されている。その後、上に述べたサイクルが繰り返される。
【００２９】
いわゆる外側変向部（Aussenumlenkung）を備えたボールねじが、図６〜図９に示されている。図６には本発明による別のスピンドルナットが斜視図で示されており、このスピンドルナットは内側にボール溝１４を備えている。さらにスピンドルナットの周囲には２つの開口１５が形成されており、図示されていない例えば管状の外側変向部が両方の管端部でそれぞれ開口１５に係合している。上に述べた実施例におけると同様に、この実施例においても図７に示されているようにボール走入路１６が設けられている。図８には、スピンドルナットを１つの開口１５の領域において断面した横断面図が示されている。
【００３０】
図９にはボール溝１４を備えたスピンドルの一部が展開図で示されている。この図９から、開口１５とボール走入路１６とボール溝１４との形状が分かる。ボール溝のこの展開図は単に略示しているだけである。特にボール走入路１６の領域は、螺旋軌道に沿って螺条全体にわたって延在していてもよい。
【図面の簡単な説明】
【００３１】
【図１】本発明によるスピンドルナットを示す斜視図である。
【図２】図１に示されたスピンドルナットに形成されたボール溝を示す断面図である。
【図３】図２に示されたボール溝の展開図である。
【図４】本発明によるスピンドルナットの一部を示す横断面図である。
【図５】本発明によるスピンドルナットの一部をボール溝に沿って断面して一平面において展開して示す図である。
【図６】本発明によるスピンドルナットの別の実施例を示す斜視図である。
【図７】図６に示されたスピンドルナットの縦断面図である。
【図８】図６に示されたスピンドルナット横縦断面図である。
【図９】図６に示されたスピンドルナットのボール溝を展開して示す図である。
【符号の説明】
【００３２】
１  ボール軌道、  ２  ボール、  ３  ボール溝、  ４  螺条、  ５  変向装置、  ６  変向部材、  ７  開口、  ８  肩部、  ９  変向通路、  １０  ゴシック状の形状、  １１  起点、  １２  側面、  １３  ボール走入路、  １４  ボール溝、  １５  開口、  １６  ボール走入路
【図１】
2008500500.tif 000003
【図２】
2008500500.tif 000004
【図３】
2008500500.tif 000005
【図４】
2008500500.tif 000006
【図５】
2008500500.tif 000007
【図６】
2008500500.tif 000008
【図７】
2008500500.tif 000009
【図８】
2008500500.tif 000010
【図９】
2008500500.tif 000011
【国際調査報告】
2008500500.tif 000012
2008500500.tif 000013
2008500500.tif 000014
2008500500.tif 000015